(57)【特許請求の範囲】
【請求項１】
デジタル信号の１つ以上の伝送パケットを２つ以上の記録ブロックに分離して記録する記録装置に於て、
５つの前記記録ブロックを１つのユニットとすると、
隣接するユニットで異なる値を持つビット（ユニット情報信号とする）を発生するユニット情報発生手段と、
前記伝送パケットを前記記録ブロックに変換すると共に前記ユニット情報発生手段からの出力信号であるユニット情報信号を記録ブロックに挿入する記録ブロックフォーマッタ手段と、
前記記録ブロックフォーマッタ手段からの出力信号を記録媒体のフォーマットに合わせた信号に変換する記録処理手段と、
前記記録処理手段からの信号を記録媒体に記録する記録手段
を具備することを特徴とする記録装置。
【請求項２】
請求項１記載の記録媒体の信号を取り出す抽出手段と、前記抽出手段からの出力信号を記録時の記録ブロックフォーマッタ手段の出力と同等の形式に復号する再生信号処理手段と、前記再生信号処理手段からの出力信号より、ユニット情報信号を検出するユニット情報検出手段と、前記ユニット情報検出手段からのユニット情報信号により前記再生信号処理手段の出力信号の伝送パケットと記録ブロックの同期位置を検出し、記録ブロックからの伝送パケットを生成する伝送パケット化手段を具備することを特徴とする再生装置。
【請求項３】
請求項１記載の記録装置及び請求項２記載の再生装置からなる記録再生装置。
【請求項４】
５つの記録ブロックを１つのユニットとし、前記再生信号処理手段からの出力信号より前記ユニット中の記録ブロック数を計数する計数手段と、前記計数手段からの出力信号により前記ユニット情報検出手段の出力信号の同一値の連続数がユニット中の記録ブロック数を超えたと判断した場合には計数手段からの出力信号により伝送パケットと記録ブロックの同期位置を検出し記録ブロックから伝送パケットを生成する伝送パケット化手段を具備することを特徴とする請求項２記載の再生装置。
【請求項５】
同一デジタルデータが含まれている記録ブロックを複数回記録する記録装置に於て、
前記同一デジタルデータが含まれている前記記録ブロックを複数回記録している単位を所定のユニットとすると、
隣接する相異なる前記所定のユニットごとに、異なる情報の値を持つビットを生成するユニット情報発生手段と、
デジタルデータを記録ブロック化すると共に、前記ユニット情報発生手段からの出力を前記記録ブロックに挿入する記録ブロック化手段と、
前記記録ブロックを記録媒体に記録する記録手段と
を具備する記録装置。
【請求項６】
入力信号から特殊再生用データを抽出する特殊再生用データ抽出手段と前記特殊再生用抽出回路からの出力と前記ユニット情報発生手段からの出力とを、記録ブロック化し、同一データを含む記録ブロックを複数回出力する記録ブロック化手段と、前記記録ブロック化手段からの出力と請求項１記載の記録ブロックフォーマッタ手段からの出力とを記録媒体上の記録パターンの形式にフォーマットするフォーマッタ手段とを具備し、前記フォーマッタ手段の出力を請求項１記載の記録処理手段に入力することを特徴とする請求項５記載の記録装置。
【請求項７】
請求項６記載の記録装置により記録された信号を再生し、取り出す抽出手段と、前記抽出手段からの出力信号を記録時の記録処理手段の入力信号と同等の形式に復号する再生信号処理手段と、前記再生信号処理手段からの出力信号から前記ユニット情報発生手段で生成された出力信号を検出し、出力する特殊再生ユニット情報検出手段と前記特殊再生ユニット情報検出手段からの出力に基づいて、前記再生信号処理手段からの出力信号を伝送パケット化する特殊再生伝送パケット化手段を具備することを特徴とする再生装置。
【発明の詳細な説明】
【０００１】
【産業上の利用分野】
本発明は、記録装置及び再生装置及び記録再生装置に関するものである。
【０００２】
【従来の技術】
従来提案されている記録装置及び再生装置及び記録再生装置は、伝送パケットと記録ブロックの同期位置を検出するために、少なくとも１トラック中の記録ブロックの数を計数しなければならない。例えば、現行テレビをディジタルで記録する民生用ＶＴＲの仕様では、１トラックの映像信号の記録ブロック数は１４９記録ブロックある。また、米国で提案されているアドバンスドＴＶを記録する際には、２つの伝送パケットを５つの記録ブロックにして、記録する方式が提案されている。よって、従来提案されている記録装置及び再生装置及び記録再生装置では、１４９まで計数できる計数手段が必要となる。
【０００３】
【発明が解決しようとする課題】
従来提案されている記録装置及び再生装置及び記録再生装置では、伝送パケットと記録ブロックの同期位置を検出するために、少なくとも１トラック中の記録ブロックの数を計数しなければならない。すなわち、上記例では、１４９まで、計数しなければならず、回路規模が大きいという課題があった。
【０００４】
そこで、本発明は、上記課題を解決するもので、計数回路の回路規模を小さくして、伝送パケットと記録ブロックの同期位置を検出することができる。
【０００５】
【課題を解決するための手段】
上記目的を達成するために、本発明の映像信号再生装置は、隣合う伝送パケット毎に、相異なる値を持ったビット（以下ユニット情報ビットとする）を記録ブロックに挿入することにより、記録再生時に伝送パケットと記録ブロックの同期をとるようにしたものである。また、上記の例では、再生側に、５まで、計数できる小さな計数回路を持つことにより、ユニット情報ビットが誤った場合でも、検出することができる。
【０００６】
【作用】
本発明は、上記した構成により、非常に小さな回路で、伝送パケットと記録ブロックの同期位置を検出することができる。
【０００７】
また、さらに、特殊再生用の信号として、同一データを複数回繰り返して記録する場合に、同一データの複数の繰り返しを特再ユニットとすると、相異なる特再ユニットで異なる情報を持ったビットを記録することにより、再生した記録ブロックのデータが異なるデータであることが容易に判別できる。
【０００８】
【実施例】
（実施例１）
以下、本発明の一実施例について図面を参照して説明する。「図１」は本発明の映像信号記録再生装置を示すブロック図であり、「図２」は本発明の映像信号記録装置を示すブロック図であり、「図３」は本発明の映像信号再生装置を示すブロック図であり、「図４」は「図１」での記録処理回路３の詳細を示すブロック図であり、「図５」は「図１」での再生処理回路６の詳細を示すブロック図である。
【０００９】
「図１」から「図５」を用いて、本発明の一実施例を示す。なお、簡単のために、入力信号はムービング  ピクチャー  エキスパート  グループ（ＭＰＥＧ（Ｍｏｖｉｎｇ  Ｐｉｃｔｕｒｅ  Ｅｘｐｅｒｔ  Ｇｒｏｕｐ））のビットストリームとする。
【００１０】
なお、ＭＰＥＧについては、トリケップス出版部編集「ＭＰＥＧ技術」平成５年１２月発行に掲載されているのでここでは、割愛する。
【００１１】
「図１」において、１はユニット情報発生回路であり、２は記録ブロックフォーマッタであり、３は記録処理回路であり、４は記録ヘッドであり、５は記録媒体であり、６は再生処理回路であり、７はユニット情報検出回路であり、８は伝送パケット化回路であり、９は計数回路である。
【００１２】
「図２」において、１１は特殊再生用データ抽出回路であり、１２は特再記録ブロック回路であり、１３は特再ユニット情報発生回路であり、１４はフォーマッタであり、５１はシンク除去回路であり、５２はシンクブロック化回路である。
【００１３】
「図３」において、２１は通常／特再識別回路であり、２２は計数回路であり、２３は伝送パケット化回路であり、２４はユニット情報検出回路であり、２６は特再伝送パケット化回路であり、２７は特再ユニット情報検出回路である。
【００１４】
「図４」において、３１は誤り訂正符号化回路であり、３２は変調回路であり、３３は記録増幅回路である。
【００１５】
「図５」において、４１は再生増幅回路であり、４２は復調回路であり、４３は誤り訂正符号復号回路である。
【００１６】
ＭＰＥＧのビットストリームは記録ブロックフォーマッタ２に入力される。記録ブロックフォーマッタ２の動作を「図２」を用いて説明する。
【００１７】
シンク除去回路５１では、入力されたビットストリームの伝送パケットのシンクビットを除去し、出力する。記録ブロック化回路５２では、シンク除去回路５１からの出力信号の記録ブロック化を行う。このとき、２つの伝送パケットと５つの記録ブロックとの同期をとる。すなわち、記録ブロック５つに、２つの伝送パケットが格納される。この同期がとられた５つの記録ブロックをユニットとする。隣合うユニットで異なる値となるように、ユニット情報発生回路１はユニット情報を発生し、記録ブロック化回路５２で、各記録ブロックにユニット情報を挿入する。
【００１８】
また、シンク除去回路５１の出力は、特殊再生用データ抽出回路１１にも入力される。特殊再生用データ抽出回路１１では、特殊再生を行うためのデータが抽出される。例えば、Ｉフレームの成分等，ＩフレームのＤＣ成分及びいくつかのＡＣ成分等である。そして、特殊再生用データ抽出回路１１の出力は特再記録ブロック１２により、記録に適したブロック化が行われる。そして、特殊再生の場合、複数のトラックに同一の特殊再生用データが記録されることになるので、繰り返し記録する同一データを特再ユニットとする。そして、相隣合う特再ユニットで異なる値となるように、特再ユニット情報発生回路１３により、特再ユニット情報を発生し、特再記録ブロック化回路１２で、各記録ブロックに特再ユニット情報を挿入する。
【００１９】
フォーマッタ１４では、記録ブロック化回路５２からの出力と特再記録ブロック化回路１２からの出力を組み合わせて、２次元配列を行い、記録処理回路３に送る。記録処理回路３の具体的な動作を「図４」を用いて、説明する。
【００２０】
フォーマッタ１４からの出力は誤り訂正符号化回路３１に入力される。誤り訂正符号化回路３１では、例えば、リードソロモンの積符号化を行う。なお、リードソロモンの積符号化については、今井著「符号理論」電子情報通信学会平成２年発行に詳しく掲載されているので、ここでは、割愛する。さらに、誤り訂正符号化回路３１では、各記録ブロックごとに、同期信号と識別信号を付加し、変調回路３２に伝送する。変調回路３２では、記録に適した変調が施される。例えば、ＮＲＺ変換等である。変調方式については、江藤他著「ディジタルビデオ記録技術」日刊工業新聞社平成２年発行に詳しく掲載されているので、ここでは、割愛する。変調回路３２の出力は記録増幅回路３３に入力され、ディジタル記録に適した等化が行われる。そして、記録ヘッド４により、記録媒体５に記録処理回路３の出力が記録される。
【００２１】
再生時の動作について、述べる。
再生ヘッド４により、記録媒体５から出力がとりだされる。再生ヘッド４は記録ヘッド４と同一の物でも良いし、異なるものでも良い。再生ヘッド４により取り出された出力は再生処理回路６に入力される。再生処理回路６の動作を「図５」を用いて説明する。
【００２２】
再生増幅回路４１に入力された再生ヘッド４の出力は、増幅され、誤り率が最も低くなるように等化が行われ、復調回路４２に送られる。復調回路４２では、誤り率が最も低くなるように復調が行われ、誤り訂正符号復号回路４３に送られる。ここでの、等化及び復調については、前述した「ディジタルビデオ記録技術」に掲載されているので、ここでは、割愛する。そして、誤り訂正符号復号回路４３では、誤り訂正符号の復号が行われる。この復号法については、前述した「符号理論」に掲載されているので、ここでは、割愛する。誤り訂正符号復号回路４３の出力は通常／特再識別回路２１に入力される。通常／特再識別回路２１以降の動作は特殊再生の場合と通常再生の場合で異なる。まず、通常再生の場合について、述べる。
【００２３】
通常再生モードの場合、通常／特再識別回路２１では、通常再生用のデータを伝送パケット化回路２３及び計数回路２２及びユニット情報検出回路２４に伝送する。ユニット情報検出回路２４ではユニット単位で異なった情報ビットを検出し、伝送パケットと記録ブロックの同期位置を出力する。また、計数回路２２は記録ブロックの数を計数し、伝送パケットと記録ブロックの同期位置を検出する。計数回路２２の出力とユニット情報検出回路２４の出力を元に、伝送パケット化回路２３は、記録ブロックの信号を伝送パケット化する。なお、このとき、計数回路２２の出力した同期位置とユニット情報検出回路２４の出力した同期位置が異なれば、計数回路２２の出力した同期位置を優先とするが、ユニット情報検出回路２４の出力した同期位置を選択しても良い。
【００２４】
特殊再生モードの場合、通常／特再識別回路２１では、特殊再生用のデータを伝送パケット化回路２６及び特再ユニット情報検出回路２７に伝送する。特再ユニット情報検出回路２７では特再ユニット単位で異なった情報ビットを検出し、特再伝送パケット化回路２６に出力する。特再パケット化回路２６では、特再ユニット情報検出回路２７の出力で同一の値を持つものどうしをひとつの組にして、伝送パケット化を行う。例えば、特再ユニット情報検出回路２７の出力が０となる記録ブロックをａ１０，ａ２０，ａ３０，ａ４０，ａ５０，出力が１となる記録ブロックをｂ１１，ｂ２１，ｂ３１，ｂ４１，ｂ５１とすると、まず、ａ１０，ａ２０，…，ａ５０，ｂ１１，ｂ２１，…，ｂ５１の順に伝送パケットを構成していく。
【００２５】
【発明の効果】
以上のように、本発明によれば、相隣合うユニットで異なる情報を持つビットを記録することにより、伝送パケットと記録パケットの同期位置を容易に検出することができる。また、相隣合う特再ユニットで異なる情報を持つビットを記録することにより、再生された信号が異なる特再ユニットのデータかそうでないデータかを容易に検出することができる。
【図面の簡単な説明】
【図１】本発明の一実施例の記録再生装置を示すブロック図
【図２】本発明の一実施例の記録再生装置の記録部の一部を示すブロック図
【図３】本発明の一実施例の記録再生装置の再生部の一部を示すブロック図
【図４】本発明の一実施例の記録再生装置の記録処理部を示すブロック図
【図５】本発明の一実施例の記録再生装置の再生処理部を示すブロック図
【符号の説明】
１  ユニット情報発生回路
２  記録ブロックフォーマッタ
３  記録処理回路
４  記録及び再生ヘッド
５  記録媒体
６  再生処理回路
７  ユニット情報検出回路
８  伝送パケット化回路
９  計数回路
１１  特殊再生用データ抽出回路
１２  シンクブロック化回路
１３  ユニット情報発生回路
１４  フォーマッタ
２１  通常／特再識別回路
２２  計数回路
２３  伝送パケット化回路
２４  ユニット情報検出回路
２５  計数回路
２６  伝送パケット化回路
２７  ユニット情報検出回路
３１  誤り訂正符号化回路
３２  変調回路
３３  記録増幅回路
４１  再生増幅回路
４２  復調回路
４３  誤り訂正符号復号回路
５１  シンク除去回路
５２  シンクブロック化回路
【図１】
0003557691.tif 000002
【図２】
0003557691.tif 000003
【図３】
0003557691.tif 000004
【図４】
0003557691.tif 000005
【図５】
0003557691.tif 000006